(57)【要約】【課題】高価な高度離型剤再生システムを導入しなくても、再処理液を効率的に利用できるようにして、再処理液の使用率を高くする。【解決手段】固定型１の成形面１ａは高い外観品質が求められる製品表面を形成する高品質部Ａをなし、新液タンク９から新液専用配管１５を通して送られた新液のみが噴霧ノズル装置１６から塗布される。可動型２の成形面２ａは通常それほどは高い外観品質を求められない部分を形成する非高品質部Ｂをなし、再処理液配管１２及びホースノズル装置１３から離型剤が塗布される。再処理液配管１２はバルブ１１を介して再処理液タンク８及び新液タンク９に接続し、バルブ１１により、新液・再処理液・これらの混合液からなる３種類の離型剤のいずれかを再処理液配管１２へ選択供給する。【選択図】図１
2014205152.tif 000002
【特許請求の範囲】
【請求項１】
高圧鋳造に用いる金型に離型剤を塗布するに際して、未使用である離型剤の新液とともに、既に塗布された離型剤を回収して再処理した再処理液を使用する方法において、
金型（１・２）の離型剤塗布部分について、新液のみを塗布する新液限定部分と、新液に限定されず再処理液の使用可能な非限定部分とに区分し、
これらの新液限定部分と非限定部分とに応じて、新液と再処理液の使用を使い分けることを特徴とする高圧鋳造における離型剤塗布方法。
【請求項２】
前記新液限定部分は、製品表面の少なくとも一部で高い外観品質が求められる部分を形成する高品質部（Ａ）であり、
前記非限定部分は、通常時において前記新液限定部分ほどの高い外観品質を求められない部分を形成する非高品質部（Ｂ）であることを特徴とする請求項１に記載した高圧鋳造における離型剤塗布方法。
【請求項３】
前記高品質部（Ａ）には前記新液のみを塗布し、
前記非高品質部（Ｂ）には、前記新液、再処理液又は新液と再処理液の混合液からなる３種類の離型剤のいずれかを使い分けて塗布することを特徴とする請求項２に記載した高圧鋳造における離型剤塗布方法。
【請求項４】
前記高品質部（Ａ）には前記新液を霧状に塗布し、
前記非高品質部（Ｂ）には、霧よりも大きな液滴の離型剤を塗布することを特徴とする請求項２又は３に記載した高圧鋳造における離型剤塗布方法。
【請求項５】
高圧鋳造に用いる金型（１・２）に離型剤を塗布するに際して、未使用である離型剤の新液とともに、既に塗布された離型剤を再処理した再処理液を使用する装置において、
前記金型（１・２）は、製品表面の少なくとも一部で高い外観品質が求められる部分を形成する高品質部（Ａ）と、
通常時において前記高品質部（Ａ）ほどの高い外観品質を求められない部分を形成する非高品質部（Ｂ）とを備え、
前記高品質部（Ａ）には、前記新液のみを供給する新液専用配管（１５）を介して新液のみを塗布し、
前記非高品質部（Ｂ）には、前記再処理液を供給可能に構成された再処理液配管（１２）を介して離型剤を塗布するとともに、
これら新液専用配管（１５）と再処理液配管（１２）とを独立に設けてあることを特徴とする高圧鋳造における離型剤塗布装置。
【請求項６】
前記再処理液配管（１２）は、バルブ（１１）を介して再処理液タンク（８）と新液タンク（９）に接続しており、このバルブ（１１）を切り替えることにより、前記再処理液配管（１２）へ送られる離型剤を、新液又は再処理液もしくはこれらの混合液のいずれかを選択できるようにしたことを特徴とする請求項５に記載した高圧鋳造における離型剤塗布装置。
【請求項７】
前記バルブ（１１）は前記混合液の調整に際して、前記新液と再処理液の混合比を調整自在であることを特徴とする請求項６に記載した高圧鋳造における離型剤塗布装置。
【請求項８】
前記新液タンク（９）に接続する新液用の配管は、前記新液タンク（９）と前記バルブ（１１）を接続する新液分岐管（９ａ）と、前記新液専用配管（１５）とを備え、一つの新液タンク（９）に対して、これら新液分岐管（９ａ）と新液専用配管（１５）とが２本設置されていることを特徴とする請求項６又は７に記載した高圧鋳造における離型剤塗布装置。
【請求項９】
前記新液専用配管（１５）は噴霧ノズル装置（１６）へ接続され、この噴霧ノズル装置（１６）は前記高品質部（Ａ）へ向かって前記新液を霧状に塗布し、
前記再処理液配管（１２）は、前記噴霧ノズル装置（１６）よりも吐出量の大きなホースノズル（１３）へ接続され、このホースノズル（１３）は前記非高品質部（Ｂ）へ向かって前記再処理液、新液もしくはこれらの混合液からなる離型剤を塗布することを特徴とする請求項５〜８のいずれか１項に記載した高圧鋳造における離型剤塗布装置。
【請求項１０】
前記高品質部（Ａ）は固定型（１）の成形面（１ａ）に形成され、前記非高品質部（Ｂ）は可動型（２）の成形面（２ａ）に形成されていることを特徴とする請求項９に記載した高圧鋳造における離型剤塗布装置。
【請求項１１】
前記固定型（１）の成形面（１ａ）には、前記高品質部（Ａ）と前記非高品質部（Ｂ）とが設けられ、この非高品質部（Ｂ）には前記再処理液、新液もしくはこれらの混合液からなる離型剤が塗布されることを特徴とする請求項１０に記載した高圧鋳造における離型剤塗布装置。
【請求項１２】
前記ホースノズル（１３）は少なくとも一部に塗布方向を変える可動部（２０）を備え、この可動部（２０）を前記固定型（１）の前記非高品質部（Ｂ）へ向けて離型剤を塗布することを特徴とする請求項１１に記載した高圧鋳造における離型剤塗布装置。
【発明の詳細な説明】
【技術分野】
【０００１】
本発明は、高圧鋳造時に行われる金型に対する離型剤の塗布方法及び塗布装置に係り、特に、回収して再処理した離型剤を効率的に再利用できるようにしたものに関する。
【背景技術】
【０００２】
金属の高圧鋳造、例えばアルミダイカスト鋳造を行う場合、一般に固定及び可動金型面へ離型剤を塗布して成形後の製品を取り出し易くすることが行われている。
ところで、近年は環境保護の観点より工場廃液の廃棄処分量を削減することが求められている。この離型剤の再利用に関する処理技術として、金型へ塗布された離型剤を回収・再処理して再処理離型剤（以下、再処理液という）とし、これを循環再利用するものがある。
また、離型剤を回収する初期の段階で作動油や潤滑油の混入を最小限にして再処理し、高度な再処理液として離型剤の再使用率を高めるようにした、高度離型剤再生システムもある（特許文献１参照）。
【０００３】
図４は上記従来例においても採用されている離型剤の循環再使用システムのフロー図である。この図中１、２は固定型と可動型であり、スプレーされた離型剤は落下してドレンパン３に集まり、配管を通って使用済み離型剤の回収沈静タンク４に溜まり、バリや不純物を除去し、さらに、表層油分分離槽５で除去可能な油分が分離され、再処理液タンク８で離型剤原液７を適宜加え濃度調整される。一方、上水６と離型剤原液７を混合した離型剤の新液が作成され、新液タンク９に保管されている。
【０００４】
再処理液タンク８の再処理液又は新液タンク９の新液は、コントロール装置１０によってバルブ１１を切り替えるとともにポンプ（図示省略）を駆動制御することにより、いずれか一方又は両方が選択されて再処理液配管１２へ送られる。バルブ１１は、再処理液分岐管８ａを介して再処理液タンク８と接続され、新液分岐管９ａを介して新液タンク９と接続されている。
選択された離型剤（新液又は再処理液もしくは双方の混合液）は、再処理液配管１２を通してホースノズル装置１３へ送られ、ここから固定型１及び可動型２の各成形面へ塗布される。
塗布後の両金型から落下した離型剤は、ドレンパン３に集められて回収され、以後再処理される。
また、離型剤が塗布された両金型は型閉めされ、金型のキャビティに鋳物材料を注入することにより高圧鋳造される。
【０００５】
この離型剤の塗布に際して、コントロール装置１０は、固定型１の成形面１ａ及び可動型２の成形面２ａにおいて要求される離型剤の品質に応じてバルブ１１を切り替える。
すなわち一般に、新液は製品表面を形成する固定型１の成形面１ａに対して塗布することが必要であり、再処理液は製品裏面を形成する可動型２の成形面２ａに対して塗布することが適している。
【０００６】
そこで、固定型１の成形面１ａが、高い外観品質を求められる製品表面を形成する場合は、高純度の離型剤が必要になるため、コントロール装置１０によってバルブ１１を調節し、新液のみが新液タンク９から新液分岐管９ａを通してホースノズル装置１３へ供給されて金型の成形面１ａ及び２ａへ塗布される。
【０００７】
一方、固定型１の成形面１ａがあまり高い外観品質を求められない製品表面を形成する場合には、コントロール装置１０によってバルブ１１を調節することにより、再処理液のみ又は混合液がホースノズル装置１３へ供給されて金型の成形面１ａ及び２ａへ塗布される。この再処理液のみ又は混合液の選択は、製品表面において要求される外観品質の程度による。
【０００８】
このとき、再処理液のみを供給する場合は、再処理液タンク８から再処理液分岐管８ａを通してホースノズル装置１３へ再処理液のみが供給される。混合液の場合は、再処理液タンク８と新液タンク９から、それぞれ再処理液分岐管８ａ及び新液分岐管９ａを通して再処理液と新液がバルブ１１にて所定割合で混合され、ホースノズル装置１３へ供給される。
【先行技術文献】
【特許文献】
【０００９】
【特許文献１】特許第４２０２８３４号公報
【発明の概要】
【発明が解決しようとする課題】
【００１０】
上記従来例における再処理液の循環再使用フローにおいては、新液と再処理液を選択使用できるようになっているが、実情はどうしても新液の使用が多くなり、再処理液の使用機会が少なくなる傾向にある。すなわち、既存の再生装置で処理された再処理液は水溶性の作動油（水グリコール系の作動油）などの不純物を完全には除去することが困難である。
このため、仮に、再処理液に対して離型剤原液を加えて濃度調整することにより純度を高めても、残留している水溶性の作動油などの不純物が鋳造鋳肌の色味や外観を低下させる場合があり、高い外観品質が求められる部分に対しては使用しにくいものであった。
【００１１】
一方、金型に対しては、固定型１及び可動型２の各成形面１ａ及び２ａへ共通のホースノズル装置１３により一様に塗布するため、一つの製品の製品表面に高い外観品質が求められる部分（成形面１ａで形成される部分）とそれ程の高品質が求められていない部分（成形面２ａで形成される部分）が混在する場合、最も要求の高い外観品質を形成する部分である成形面１ａに合わせて新液だけを使用することにならざるをえない。
その結果、再処理液の利用機会が限られ、結果的に長期間使用しない再処理液については使用せずに廃棄処分することもあり、環境的にはマイナスになった。したがって、再処理液の使用機会を多くして使用効率を高くすることが望まれている。
【００１２】
このための一つの方法として、特許文献１に開示されているような高度離型剤再生システムの導入がある。このシステムは金型から滴下する離型剤を回収するために、図４におけるドレンパン３に代わる特殊な専用の回収装置を設けており、離型剤が金型へ塗布されてから落下して回収される初期の段階で作動油や潤滑油の混入を最小限にするための効果的な手段であり、再利用しやすい高純度の再処理液を作成することができる。したがって、このシステムによれば、不純物を可及的に除去して高純度の再処理液を得ることにより、使用機会を増大できる。
しかし、このシステム導入に際して専用の回収装置を設けなければならないので、既存の設備を移設して工事することが必要であり、多額の費用がかかってしまう。その結果、このような高価なシステムの導入を回避することも望まれている。
【００１３】
そこで本発明は、高価な高度離型剤再生システムを導入しなくても、再処理液を効率的に利用できるようにすることを目的とする。
【課題を解決するための手段】
【００１４】
上記目的を達成するため、本願の高圧鋳造における離型剤塗布方法に係る請求項１の発明は、高圧鋳造に用いる金型に離型剤を塗布するに際して、未使用である離型剤の新液とともに、既に塗布された離型剤を回収して再処理した再処理液を使用する方法において、
金型（１・２）の離型剤塗布部分について、新液のみを塗布する新液限定部分と、新液に限定されず再処理液の使用可能な非限定部分とに区分し、
これらの新液限定部分と非限定部分とに応じて、新液と再処理液の使用を使い分けることを特徴とする。
【００１５】
請求項２の発明は上記請求項１において、前記新液限定部分は製品表面の少なくとも一部で高い外観品質が求められる部分を形成する高品質部（Ａ）であり、
前記非限定部分は、通常時において前記新液限定部分ほどの高い外観品質を求められない部分を形成する非高品質部（Ｂ）であることを特徴とする。
【００１６】
請求項３の発明は上記請求項２において、前記高品質部（Ａ）には前記新液のみを塗布し、
前記非高品質部（Ｂ）には、前記新液、再処理液又は新液と再処理液の混合液からなる３種類の離型剤のいずれかを使い分けて塗布することを特徴とする。
【００１７】
請求項４の発明は上記請求項２又は３において、前記高品質部（Ａ）には前記新液を霧状に塗布し、
前記非高品質部（Ｂ）には、霧よりも大きな液滴の離型剤を塗布することを特徴とする。
【００１８】
本願の高圧鋳造における離型剤塗布装置に係る請求項５の発明は、高圧鋳造に用いる金型（１・２）に離型剤を塗布するに際して、未使用である離型剤の新液とともに、既に塗布された離型剤を再処理した再処理液を使用する装置において、
前記金型（１・２）は、製品表面の少なくとも一部で高い外観品質が求められる部分を形成する高品質部（Ａ）と、
通常時において前記高品質部（Ａ）ほどの高い外観品質を求められない部分を形成する非高品質部（Ｂ）とを備え、
前記高品質部（Ａ）には、前記新液のみを供給する新液専用配管（１５）を介して新液のみを塗布し、
前記非高品質部（Ｂ）には、前記再処理液を供給可能に構成された再処理液配管（１２）を介して離型剤を塗布するとともに、
これら新液専用配管（１５）と再処理液配管（１２）とを独立に設けてあることを特徴とする。
【００１９】
請求項６の発明は上記請求項５において、前記再処理液配管（１２）は、バルブ（１１）を介して再処理液タンク（８）と新液タンク（９）に接続しており、このバルブ（１１）を切り替えることにより、前記再処理液配管（１２）へ送られる離型剤を、新液又は再処理液もしくはこれらの混合液のいずれかを選択できるようにしたことを特徴とする。
【００２０】
請求項７の発明は上記請求項６において、前記バルブ（１１）は前記混合液の調整に際して、前記新液と再処理液の混合比を調整自在であることを特徴とする。
【００２１】
請求項８の発明は上記請求項６又は７において、前記新液タンク（９）に接続する新液用の配管は、この新液タンク（９）と前記バルブ（１１）を接続する新液分岐管（９ａ）と、前記新液専用配管（１５）とを備え、一つの新液タンク（９）に対して、これら新液分岐管（９ａ）と新液専用配管（１５）とが２本設置されていることを特徴とする。
【００２２】
請求項９の発明は上記請求項５〜８のいずれか１項において、前記新液専用配管（１５）は噴霧ノズル装置（１６）へ接続され、この噴霧ノズル装置（１６）は前記高品質部（Ａ）へ向かって前記新液を霧状に塗布し、
前記再処理液配管（１２）は、前記噴霧ノズル装置（１６）よりも吐出量の大きなホースノズル（１３）へ接続され、このホースノズル（１３）は前記非高品質部（Ｂ）へ向かって前記再処理液、新液もしくはこれらの混合液からなる離型剤を塗布することを特徴とする。
【００２３】
請求項１０の発明は上記請求項９において、前記高品質部（Ａ）は固定型（１）の成形面（１ａ）に形成され、前記非高品質部（Ｂ）は可動型（２）の成形面（２ａ）に形成されていることを特徴とする。
【００２４】
請求項１１の発明は上記請求項１０において、前記固定型（１）の成形面（１ａ）には、前記高品質部（Ａ）と前記非高品質部（Ｂ）とが設けられ、この非高品質部（Ｂ）には前記再処理液、新液もしくはこれらの混合液からなる離型剤が塗布されることを特徴とする。
【００２５】
請求項１２の発明は上記請求項１１において、前記ホースノズル（１３）は少なくとも一部に塗布方向を変える可動部（２０）を備え、この可動部（２０）を前記固定型（１）の前記非高品質部（Ｂ）へ向けて離型剤を塗布することを特徴とする。
【発明の効果】
【００２６】
請求項１の発明によれば、金型に要求される離型剤の純度は部分毎に相異があることに着目し、金型の離型剤塗布部分を、新液限定部分と非限定部分とに区分して、この新液限定部分と非限定部分に応じて、新液と再処理液とを使い分けるようにしたので、これまで再処理液の使用ができなかった製品を鋳造する際にも、金型の一部である新液限定部分のみに新液を塗布し、それ以外の部分である非限定部分には再処理液を使用することが可能になった。このため、１回の鋳造作業（１ショット）において新液と再処理液を同時に使用することが可能になり、再処理液を効率よくリサイクル使用できるようになった。
【００２７】
また、高度な離型剤再利用システムを導入しなくても、再処理液を効率よく使用できるようになったので、高価な高度離型剤再利用システムの導入を回避でき、コストを抑えることができる。
その結果、廃液処理量を抑えて環境負荷を少なくすることができ、環境対策としても効果を上げることができる。
【００２８】
請求項２の発明によれば、金型のうち、製品表面の少なくとも一部である高い外観品質が求められる部分を形成する高品質部を新液限定部分とし、通常時にはそれほど高い外観品質が求められない部分を形成する非高品質部を非限定部分としたので、高品質部にのみ新液を塗布し、それ以外の部分には再処理液を使用することが可能になる。
このため、製品の外観品質に応じて、新液と再処理液を適切に使い分けることができる。
【００２９】
請求項３の発明によれば、高品質部には新液のみを塗布するとともに、非高品質部には、新液、再処理液又は新液と再処理液の混合液からなる３種類の離型剤のいずれかを使い分けて塗布するようにしたので、非高品質部に対しても、実際に要求される離型剤の純度に応じてきめ細かく適切に対応することができる。
【００３０】
請求項４の発明によれば、高品質部には新液を霧状に塗布し、非高品質部には、霧よりも大きな液滴の離型剤を塗布するようにしたので、新液の使用量を必要最小限に抑えることができ、コストの削減を可能にした。
【００３１】
請求項５の発明によれば、高い外観品質が求められる部分を形成する高品質部に新液のみを供給する新液専用配管と、非高品質部に離型剤を供給する再処理液配管とを独立に設けたので、上記方法における効果を享受するとともに、再処理液配管を含む既設部分に対して、新液専用配管を追加するだけで、新液専用配管と再処理液配管からなる２系統の離型剤塗布部を有する離型剤塗布装置を簡単に構成することができる。
しかも、高価な高度離型剤再利用システムの導入を回避できるので、コストを抑制できる。
【００３２】
請求項６の発明によれば、バルブを切り替えることにより、再処理液配管へ送られる離型剤を、新液又は再処理液もしくはこれらの混合液の３種類からなるいずれかに選択できるようにしたので、非高品質部に対しても、実際に要求される離型剤の純度に応じてきめ細かく適切に対応することができる。
【００３３】
請求項７の発明によれば、バルブが、新液と再処理液の混合比を調整自在にできるので、さらに、非高品質部に対する離型剤の純度をよりきめ細かく適切に対応することができる。
【００３４】
請求項８の発明によれば、一つの新液タンクに対して、再処理液配管に接続する新液分岐管と新液専用配管とを２本設置したので、新液配管を２本設けても新液タンクは一つのままで済ませることができ、装置の構造を簡単にできるとともに、コストアップを抑えることができる。
【００３５】
請求項９の発明によれば、新液専用配管を噴霧ノズル装置へ接続したので、新液は噴霧ノズル装置から高品質部へ向かって霧状に少量塗布することができる。このため高品質部における液ダレを防ぐとともに、コストが比較的高い新液の使用量を少なくしてコストを抑えることができる。
また、再処理液配管をホースノズルへ接続したので、このホースノズルから非高品質部へ向かって比較的安価な再処理液を大量に塗布することができ、コストを抑えるとともに、離型剤によるクーラント効果を期待することができる。
【００３６】
請求項１０の発明によれば、高品質部を固定型の成形面に形成し、非高品質部を可動型の成形面に形成したので、新液専用配管を固定型側に配置し、再処理液配管を可動型側に配置して分離でき、配管構造を簡単にできる。
【００３７】
請求項１１の発明によれば、固定型の成形面には、高品質部と非高品質部とを設け、この非高品質部には、再処理液もしくは再処理液と新液の混合液を塗布するようにしたので、固定型の成形面にも、離型剤の要求純度が異なる部分を設定し、要求純度に応じて適切な離型剤を塗布できる。このため、新液の使用量をさらに抑制でき、しかも、再処理液の使用効率をより高くすることができる。
【００３８】
請求項１２の発明によれば、ホースノズルの少なくとも一部を可動式とし、この可動部を固定型の非高品質部へ向けて離型剤を塗布するようにしたので、固定型の非高品質部に対する新たな離型剤の配管を増やさず済ませることができ、装置を簡単にすることができる。
【図面の簡単な説明】
【００３９】
【図１】実施形態に係る循環再使用システムのフロー図
【図２】別実施形態に係る可動型の成形面を示す図
【図３】上記実施形態における可動型の非高品質部を可動部で塗布する状態を示す図
【図４】従来例における循環再使用システムのフロー図
【発明を実施するための形態】
【００４０】
以下、本発明を適用した一実施形態を図１に基づいて説明する。なお、図１は図４の従来例と同様の離型剤の循環再使用システムに関するフロー図であり、図４における符号１〜１３までの既設部分に対して新液専用配管及びその関連部分を追加的に設けたものである。したがって、図４との共通部分は共通符号を用い、かつ相違部分を主体に説明し、重複説明は原則として省略する。
【００４１】
この離型剤の循環再使用システムは、高圧鋳造であるアルミダイカスト成形により、例えば、オートバイ用エンジンの鋳造に用いられるものである。
固定型１の成形面１ａは、製品の外観面すなわち製品表面を形成する部分であり、比較的凹凸が少なく平滑な面をなす。この製品表面は高い外観品質が求められる部分であり、この部分を形成する成形面１ａは高品質部Ａをなし、この部分に用いられる離型剤は高純度のもの、すなわち新液が要求され、本願における新液限定部分にも相当する。
また、この離型剤は液ダレによる製品表面の外観品質低下を防ぐため、少量塗布が求められる。但し、この部分に使用する離型剤には、クーラント効果（冷却効果）はあまり要求されていない。
【００４２】
可動型２の成形面２ａは、製品裏面を形成する部分であり、通常は、固定型１側ほどは高い外観品質を求められない部分を形成する非高品質部Ｂをなす。また、この部分は、通常の場合、再処理液もしくは再処理液と新液の混合液を使用する部分であり、新液のみの使用を要求されないため、本願における非限定部にも相当する。
さらに、可動型２側は、金型の特性上、比較的凹凸が大きく複雑な金型面を有するため、大量に離型剤を塗布することで離型剤により金型側を直接冷却するクーラント効果が要求される部分である。
すなわち、一般的に金型面を冷却するため金型内部に冷却管路等からなる冷却構造が設けられているが、金型面に大きな凹凸がある場合、冷却管等を凸部の先端まで設置できないから、凸部は冷却されにくくなる。その結果、この凸部に対しては大量の離型剤塗布により冷却することが必要になる。また、冷却構造を設けることにより、金型が複雑化することを回避したり、金型面が薄肉化することによる強度低下を防ぐ場合にも、冷却構造による冷却に代わり、もしくは冷却性能を補完するために、大量の離型剤塗布により冷却することが必要になる。
【００４３】
この例では、再処理液配管１２及びホースノズル装置１３は可動型２専用に設けられている。なお、再処理液配管１２は再処理液専用ではなく、新液のみ、もしくは混合液を通すことができる。すなわち、バルブ１１を切り替えて、再処理液のみもしくは新液のみ又は混合液からなる３種の離型剤のうちいずれかを再処理液配管１２へ送ることができる。
ホースノズル装置１３は、分配管とこれに取付けられた複数のホースノズルで構成され、固定型１と可動型２の間へ進退自在に設けられている。また、可動型２専用として、可動型２の成形面２ａに対面して配置され、クーラント効果を生じるように、比較的大量の離型剤（例えば、７５０ｃｃ／秒程度）を可動型２の成形面へ塗布できるようになっている。
【００４４】
バルブ１１はボリューム式バルブであって、混合液における新液と再処理液の混合比を調整自在にしている。
なお、バルブ１１をボリューム式とせず、一定割合の混合液のみを作成するようにしてもよい。また、混合液を作成せず、再処理液のみもしくは新液のみのいずれかを再処理液配管１２へ送るようにしてもよい。
【００４５】
以下、固定型１に対する新液塗布構造について説明する。新液タンク９からは、ポンプ１４を介して既設の新液配管である新液分岐管９ａと別に、新液専用配管１５が固定型１の噴霧ノズル装置１６へ向かって独立して設けられる。新液専用配管１５は再処理液配管１２と独立して設けられ、新液のみを固定型１側へのみ供給する。
ポンプ１４は新液専用コントロール装置１７により駆動制御され、所定の吐出量で新液タンク９の新液が噴霧ノズル装置１６へ圧送される。
【００４６】
噴霧ノズル装置１６は、分配管とこれに取付けられた複数の噴霧ノズルで構成され、固定型１専用に設けられ、固定型１と可動型２の間へ進退自在に設けられている。また、固定型１の成形面１ａに対面するように配置され、固定型１の成形面１ａのみに向かって新液を噴霧する。
【００４７】
このとき、固定型１の成形面１ａがクーラント効果を要求せず、比較的少量（例えば、２０〜３０ｃｃ／秒）の離型剤を塗布すれば足りるので、液ダレの生じない程度に薄く噴霧により塗布される。この比較的少量の離型剤噴霧により、離型剤の液ダレが生じないため、成形後の製品表面の品質を良好にすることができる。
【００４８】
なお、噴霧ノズル装置１６はホースノズル装置１３に対して吐出量が異なり、噴射される粒子も微細になっている。例えば、吐出圧０．４ＭＰａ、流量３０ｃｃ／秒、の条件で、５〜３００μｍ程度の霧状粒子を形成する。
これに対してホースノズル装置１３は、例えば、霧状粒子よりも大きな液滴、もしくはホースから吐出される液滴化しない連続した液流で、金型面を塗布された液が流れる程に大量の離型剤を塗布するものであり、噴霧に対して塗布液量が桁違いに大きくなる。以下、噴霧ノズル装置１６による霧状塗布（噴霧）に対して、ホースノズル装置１３による塗布を液状塗布ということにする。
金型面に対する塗布後の現象においては、噴霧による液ダレはほとんど生じないが、液状塗布の場合は明確な液ダレを生じるという相違がある。
【００４９】
次に、本実施形態における作用を説明する。型開きした固定型１と可動型２の間へ、ホースノズル装置１３及び噴霧ノズル装置１６を進出させて配置する。ホースノズル装置１３には再処理液配管１２より離型剤を圧送し、ホースノズル装置１３から可動型２の成形面へ液状塗布して、クーラント効果を生じさせる。
【００５０】
このとき、再処理液配管１２へ送られる離型剤は、コントロール装置１０によりバルブ１１を切り替えることにより、新液のみ、再処理液のみ又は新液と再処理液との混合液からなる３種類のうちいずれかに選択される。通常時は、再処理液のみ又は混合液が選択される。特別に製品の裏側を高品質に仕上げたい事情があるときのみ新液のみが選択される。
【００５１】
原則として、可動型２の成形面２ａ側は非高品質部Ｂであり、通常時は再処理液のみで足りる。但し、可動型２側においても、固定型１の成形面１ａ側における高品質部Ａに塗布する新液と同様に高純度の離型剤を要求される場合がある。また、高品質部Ａに塗布する新液ほどには純度が高くないが、比較的高い純度の離型剤が要求される場合がある。
【００５２】
したがって、高純度を要求された場合は、バルブ１１を新液側に切り替えて、新液タンク９及び新液分岐管９ａより新液のみを供給する。また、比較的高い純度の離型剤が要求された場合は、バルブ１１を混合液側に切り替えて、再処理液タンク８から再処理液分岐管８ａを通して供給される所定量の再処理液と、新液タンク９から新液分岐管９ａを通して供給される所定量の新液とを混合して混合液を作成し、これを供給する。このとき、本実施形態では、バルブ１１をボリューム式としたので、要求される離型剤の純度に応じて混合比を自由に調整できる。このため、塗布面の状況に即した純度となる最適混合比の混合液からなる離型剤を供給できる。
【００５３】
このとき、高品質部Ａには、新液専用配管１５を介して噴霧ノズル装置１６へ新液のみが送られ、噴霧ノズル装置１６から固定型１の成形面１ａへ薄く必要量のみ塗布される。この塗布量は新液専用コントロール装置１７によりポンプ１４を駆動制御することにより、最適化されて行われる。
【００５４】
固定型１の成形面１ａに対する噴霧ノズル装置１６から新液噴霧、及び可動型２の成形面２ａに対するホースノズル装置１３からの離型剤塗布が終了すると、ホースノズル装置１３及び噴霧ノズル装置１６は後退して、固定型１及び可動型２の間から出る。続いて、固定型１及び可動型２が型閉めされ、キャビティ内へ鋳造材料が高圧注入されて鋳造され、その後、型開きして製品が取り出される。
【００５５】
このとき、固定型１の成形面１ａ及び可動型２の成形面２ａに塗布された離型剤により、製品は容易に取り出される。
また、固定型１の成形面１ａにおける高品質部Ａには、高純度の新液のみが少量噴霧されているだけなので、液ダレがなく、製品表面は高い外観品質を形成できる。
【００５６】
しかも、可動型２の成形面２ａに対しては、再処理液をホースノズル装置１３で大量に塗布することにより、離型剤のクーラント効果で焼き付きを効果的に防ぐことができると同時に再処理液の使用量を増大させ、廃液量を減少させ、環境負荷を少なくすることができる。
【００５７】
そのうえ、ホースノズル装置１３により塗布する離型剤は、新液のみ、再処理液のみ又は新液と再処理液との混合液からなる３種類のうちいずれかを選択できるので、可動型２の成形面２ａが形成する製品裏面に要求される外観品質に応じて、適切な純度の離型剤を選択できる。
【００５８】
このように、本実施形態によれば、離型剤の純度が金型の部分毎に相異することに着目し、金型の離型剤塗布部分を、新液限定部分（高品質部Ａ）と非限定部分（非高品質部Ｂ）とに区分して、この新液限定部分と非限定部分に応じて、新液と再処理液とを使い分けるようにしたので、これまで再処理液の使用ができなかった製品を鋳造する際にも、金型の一部である新液限定部分（高品質部Ａ）のみに新液を塗布し、それ以外の部分である非限定部分（非高品質部Ｂ）には再処理液を使用することが可能になった。このため、１回の鋳造作業において新液と再処理液を同時に使用することが可能になり、再処理液を効率よくリサイクル使用できるようになった。
【００５９】
また、高度な離型剤再利用システムを導入しなくても、再処理液を効率よく使用できるようになったので、高価な高度離型剤再利用システムの導入を回避でき、コストを抑えることができる。
その結果、廃液処理量を抑えて環境負荷を少なくすることができ、環境対策としても効果を上げることができる。
【００６０】
さらに、製品表面に求められる外観品質の高さに応じて、金型の成形面を、固定型１の成形面１ａである高品質部Ａ（新液限定部分）と、可動型２の成形面２ａである非高品質部Ｂ（非限定部分）とに分け、非高品質部Ｂは通常時にそれほど高い外観品質が求められない部分を形成する部分とした。
したがって、高品質部Ａにのみ新液を塗布し、それ以外の部分である非高品質部Ｂには、通常時は再処理液もしくは混合液を使用することが可能になった。
このため、製品の外観品質に応じて、新液と再処理液を適切に使い分けることができる。
【００６１】
また、固定型１の成形面１ａ（高品質部Ａ）には新液のみを塗布するとともに、可動型２の成形面２ａ（非高品質部Ｂ）には、新液、再処理液又は新液と再処理液の混合液からなる３種類の離型剤のいずれかを使い分けて塗布するようにすると、可動型２の成形面２ａ（非高品質部Ｂ）に対しても、実際に要求される離型剤の純度に応じてきめ細かく適切に対応することができる。
【００６２】
さらに、固定型１の成形面１ａ（高品質部Ａ）には新液を霧状に塗布し、可動型２の成形面２ａ（非高品質部Ｂ）には、霧よりも大きな液滴の離型剤を塗布するようにしたので、新液の使用量を必要最小限に抑えることができ、コストの削減を可能にした。
【００６３】
また、高い外観品質が求められる部分を形成する固定型１の成形面１ａ（高品質部Ａ）に新液のみを供給する新液専用配管１５と、可動型２の成形面２ａ（非高品質部Ｂ）に離型剤を供給する再処理液配管１２とを独立に設けたので、再処理液配管１２を含む既設部分に対して、新液専用配管１５を追加するだけで、新液専用配管１５と再処理液配管１２からなる２系統の離型剤塗布部を有する離型剤塗布装置を簡単に構成することができる。
しかも、高価な高度離型剤再利用システムの導入を回避できるので、コストを抑制できる。
【００６４】
さらに、バルブ１１を切り替えることにより、再処理液配管１２へ送られる離型剤を、新液又は再処理液もしくはこれらの混合液の３種類からなるいずれかに選択できるようにしたので、可動型２の成形面２ａ（非高品質部Ｂ）に対しても、実際に要求される離型剤の純度に応じてきめ細かく適切に対応することができる。
【００６５】
そのうえ、バルブ１１が、新液と再処理液の混合比を調整自在にできるので、さらに、可動型２の成形面２ａ（非高品質部Ｂ）に対する離型剤の純度をよりきめ細かく適切に対応することができる。
【００６６】
また、一つの新液タンク９に対して、再処理液配管１２に接続する新液分岐管９ａと新液専用配管１５とを２本設置したので、新液配管を２本設けても新液タンク９は一つのままで済ませることができ、装置の構造を簡単にできるとともに、コストアップを抑えることができる。
【００６７】
さらに、新液専用配管１５を噴霧ノズル装置１６へ接続したので、新液は噴霧ノズル装置１６から固定型１の成形面１ａ（高品質部Ａ）へ向かって霧状に少量塗布することができる。このため高品質部における液ダレを防ぐとともに、コストが比較的高い新液の使用量を少なくしてコストを抑えることができる。
そのうえ、再処理液配管１２をホースノズル装置１３へ接続したので、このホースノズル装置１３から可動型２の成形面２ａ（非高品質部Ｂ）へ向かって比較的安価な再処理液を大量に塗布することができ、コストを抑えるとともに、離型剤によるクーラント効果を期待することができる。
【００６８】
また、高品質部Ａを固定型１の成形面１ａに形成し、非高品質部Ｂを可動型２の成形面２ａに形成したので、新液専用配管１５を固定型１側に配置し、再処理液配管１２を可動型２側に配置して分離でき、配管構造を簡単にできる。
【００６９】
次に、別実施形態を図２及び３に基づいて説明する。この実施形態も、図１の実施形態の一部のみを変更したものであるから、共通部分は共通符号を用い、相違部分の説明を主体とし、重複部分の説明を省略する。
図２は、固定型１の成形面１ａを示す。この成形面１ａには、高品質部Ａ及び非高品質部Ｂが混在する。
【００７０】
図３は、ホースノズル装置１３部分を示し、ホースノズル装置１３は、非高品質部Ｂに対応する部分を含む少なくとも一部が可動部２０になっている。なお、可動部２０を除く部分は本体部とする。この例では、ホースノズル装置１３の本体部における各ノズルへ離型剤を分配する本体部分配管２１がその軸線方向を図の上下方向にして設けられ、この本体部分配管２１に対して、連結部２２にて可動部２０の可動部分配管２３が回動可能に連結されている。可動部２０は本体部分配管２１の軸線回りに少なくとも略１８０°程度回動可能になっており、可動部２０の各ノズルには本体部分配管２１へ接続した可動部分配管２３から離型剤が供給される。
【００７１】
したがって、可動部２０の各ノズルが可動型２の成形面２ａに向かっている状態で、可動部２０を略１８０°程度回動させると、可動部２０の各ノズルを固定型１の成形面１ａにおける非高品質部Ｂへ向かせることができる。
そこで、可動部２０を固定型１の非高品質部Ｂへ向けた状態にして、可動部２０より非高品質部Ｂへ向けて、再処理液又は混合液を塗布できる。さらに、新液を塗布することもできる。
【００７２】
このようにすると、製品表面を形成する成形面１ａにおいて、離型剤の要求純度に異なる部分が存在することがある場合に着目して、高品質部Ａには噴霧ノズル装置１６から新液を噴霧し、非高品質部Ｂにはホースノズル装置１３の可動部２０から再処理液又は混合液を塗布できるから、再処理液の使用率をより向上させることができる。
【００７３】
しかも、非高品質部Ｂに対するホースノズル装置１３の可動部２０からの塗布は吐出量の大きな液状であるから、同一の成形面１ａ上においても、非高品質部Ｂに対して部分的にクーラント効果も期待できる。
また、成形面１ａに対する新液の塗布は、高品質部Ａに限定される霧状塗布であるから、新液の使用量をさらに抑制でき、しかも、再処理液の使用効率をより高くすることができる。
【００７４】
なお、ホースノズル装置１３の可動部２０から再処理液又は混合液ではなく新液を塗布することもできる。この場合でも、非高品質部Ｂに対するクーラント効果も期待でき、しかも成形後の製品面を新液使用により高品質にすることができる。すなわち、同一の成形面１ａに対して新液を使用する場合でも、各部の要求品質に応じて霧状塗布と液状塗布を使い分けることができる。
【００７５】
また、ホースノズル装置１３の少なくとも一部を可動部２０としたので、共通のホースノズル装置１３により、固定型１と可動型２の各非高品質部Ｂに対して同時に再処理液等の離型剤を塗布できるから、固定型１の非高品質部Ｂに対して新たに再処理液の配管をしないで済む。このため、新たな離型剤の配管を増やさずに済ませることができ、しかも固定型１側の一部に対する液状塗布を、新たな塗布装置を設けずに実現することができるから、装置を簡単にすることができる。
【符号の説明】
【００７６】
１：固定型、２：可動型、８：再処理液タンク、９：新液タンク、１０：新液／再処理液コントロール装置、１１：調整バルブ、１２：既存配管、１３：ホースノズル装置、１５：新液専用配管、１６：噴霧ノズル装置、１７：新液専用コントロール装置
２０：可動部
【図１】
2014205152.tif 000003
【図２】
2014205152.tif 000004
【図３】
2014205152.tif 000005
【図４】
2014205152.tif 000006